(57)【特許請求の範囲】
【請求項１】
クリーンルーム内で使用される防護用頭巾であって、
ヘアーネットで覆われた作業者の頭頂部と後頭部と側頭部を覆う筒袋状の本体部を有し、
本体部の上部が布状の外覆い部材と網状の内覆い部材とで二重構造に構成され、
上記外覆い部材と内覆い部材との間に収納部が形成され、
上記収納部に、頭部を保護するヘルメットが収納され、
上記ヘルメットは外覆い部材と内覆い部材との間に挟まれて固定され、
上記外覆い部材に、ヘルメットを出し入れ可能な前後方向あるいは左右方向に沿って形成されている開口部と、この開口部を開閉する開閉手段とが設けられ、
クリーンルーム内において上記防護用頭巾をヘアーネットで覆われた作業者の頭部に装着した状態で、上記開閉手段を外覆い部材の外部から開閉操作してヘルメットを外覆い部材の外部から収納部へ出し入れ可能としたことを特徴とする防護用頭巾。
【請求項２】
クリーンルーム内で使用される防護用頭巾に対するヘルメットの着脱方法であり、
作業者は、クリーンルームで作業するにあたり、先ず、頭部をヘアーネットで覆い、その後、
ヘアーネットで覆われた作業者の頭頂部と後頭部と側頭部を覆う筒袋状の本体部を有し、本体部の上部が布状の外覆い部材と網状の内覆い部材とで二重構造に構成され、上記外覆い部材と内覆い部材との間に収納部が形成され、上記収納部に、頭部を保護するヘルメットが収納可能とされ、上記ヘルメットは外覆い部材と内覆い部材との間に挟まれて固定可能とされ、上記外覆い部材に、ヘルメットを出し入れ可能な前後方向あるいは左右方向に沿って形成されている開口部と、この開口部を開閉する開閉手段とが設けられ、クリーンルーム内において上記防護用頭巾をヘアーネットで覆われた作業者の頭部に装着した状態で、上記開閉手段を外覆い部材の外部から開閉操作してヘルメットを外覆い部材の外部から収納部へ出し入れ可能な防護用頭巾を被り、
クリーンルーム内での作業上、頭部を保護する必要がある場合、作業者は、クリーンルーム内において上記防護用頭巾をヘアーネットで覆われた頭部に装着した状態で、上記開閉手段を外覆い部材の外部から開いてヘルメットを上記開口部から上記防護用頭巾の収納部へ入れ込み、その後、上記開閉手段を閉じ、
クリーンルーム内での作業上、ヘルメットが不要である場合には、作業者は、クリーンルーム内において上記防護用頭巾をヘアーネットで覆われた頭部に装着した状態で、上記開閉手段を開いて、ヘルメットを収納部から上記防護用頭巾の外部へ取り外すこと
を特徴とするクリーンルーム内で使用される防護用頭巾に対するヘルメットの着脱方法。
【発明の詳細な説明】
【技術分野】
【０００１】
本発明はクリーンルームで使用される防護用頭巾、及び防護用頭巾に対するヘルメットの着脱方法に関する。
【背景技術】
【０００２】
従来、この種の防護用頭巾としては、例えばクリーンルームで使用されるフードキャップがある。このフードキャップは、作業者が頭から被って、頭部および顔面を覆うものである。上記フードキャップの前部には、両目を通して目視をするための窓が形成されている。作業者は、上記フードキャップを被ることにより、クリーンルーム内に毛髪等が落下したり毛髪等に付着したパーティクルが落下するのを防止していた。
【０００３】
また、クリーンルームで作業上、頭部を保護する必要がある場合、作業者は、フードキャップの上からヘルメットを被って作業を行っていた。
【発明の概要】
【発明が解決しようとする課題】
【０００４】
しかしながら、上記の従来形式では、フードキャップは滑り易いため、フードキャップの上からヘルメットを被って作業を行う際、作業者が頭を動かす度に、ヘルメットが滑って位置ずれし、作業に支障を来すといった問題があった。
【０００５】
本発明は、ヘルメットの位置ずれを防止することができる防護用頭巾、及び防護用頭巾に対するヘルメットの着脱方法を提供することを目的とする。
【課題を解決するための手段】
【０００６】
上記目的を達成するために本発明の防護用頭巾は、クリーンルーム内で使用される防護用頭巾であって、
ヘアーネットで覆われた作業者の頭頂部と後頭部と側頭部を覆う筒袋状の本体部を有し、
本体部の上部が布状の外覆い部材と網状の内覆い部材とで二重構造に構成され、
上記外覆い部材と内覆い部材との間に収納部が形成され、
上記収納部に、頭部を保護するヘルメットが収納され、
上記ヘルメットは外覆い部材と内覆い部材との間に挟まれて固定され、
上記外覆い部材に、ヘルメットを出し入れ可能な前後方向あるいは左右方向に沿って形成されている開口部と、この開口部を開閉する開閉手段とが設けられ、
クリーンルーム内において上記防護用頭巾をヘアーネットで覆われた作業者の頭部に装着した状態で、上記開閉手段を外覆い部材の外部から開閉操作してヘルメットを外覆い部材の外部から収納部へ出し入れ可能としたものである。
また、本発明の防護用頭巾に対するヘルメットの着脱方法は、クリーンルーム内で使用される防護用頭巾に対するヘルメットの着脱方法であり、作業者は、クリーンルームで作業するにあたり、先ず、頭部をヘアーネットで覆い、その後、ヘアーネットで覆われた作業者の頭頂部と後頭部と側頭部を覆う筒袋状の本体部を有し、本体部の上部が布状の外覆い部材と網状の内覆い部材とで二重構造に構成され、上記外覆い部材と内覆い部材との間に収納部が形成され、上記収納部に、頭部を保護するヘルメットが収納可能とされ、上記ヘルメットは外覆い部材と内覆い部材との間に挟まれて固定可能とされ、上記外覆い部材に、ヘルメットを出し入れ可能な前後方向あるいは左右方向に沿って形成されている開口部と、この開口部を開閉する開閉手段とが設けられ、クリーンルーム内において上記防護用頭巾をヘアーネットで覆われた作業者の頭部に装着した状態で、上記開閉手段を外覆い部材の外部から開閉操作してヘルメットを外覆い部材の外部から収納部へ出し入れ可能な防護用頭巾を被り、クリーンルーム内での作業上、頭部を保護する必要がある場合、作業者は、クリーンルーム内において上記防護用頭巾をヘアーネットで覆われた頭部に装着した状態で、上記開閉手段を外覆い部材の外部から開いてヘルメットを上記開口部から上記防護用頭巾の収納部へ入れ込み、その後、上記開閉手段を閉じ、クリーンルーム内での作業上、ヘルメットが不要である場合には、作業者は、クリーンルーム内において上記防護用頭巾をヘアーネットで覆われた頭部に装着した状態で、上記開閉手段を開いて、ヘルメットを収納部から上記防護用頭巾の外部へ取り外すものである。
【０００７】
これによると、ヘルメットは外覆い部材と内覆い部材との間に収納されるため、ヘルメットの位置がずれるのを防止することができる。
また、開閉手段で外覆い部材を開くことによって、ヘルメットを外覆い部材と内覆い部材との間から出し入れすることができる。したがって、クリーンルーム内において、作業者が防護用頭巾を頭部に装着したままで、外側からヘルメットを容易に出し入れすることが可能であり、これにより、クリーンルーム内においてヘルメットが不要である場合、ヘルメットを防護用頭巾から容易に取り外すことができる。
【０００８】
本発明のより好ましい実施形態は、本体部の下端に設けられたスカート部を有し、
上記スカート部は肩を覆うものである。
【０００９】
本発明のより好ましい実施形態は、本体部の下部を絞るための紐が本体部に通してあるものである。
これによると、紐を用いて本体部の下部を絞ることにより、作業者の毛髪等が落下するのを防止し得る。
【００１０】
本発明のより好ましい実施形態は、頭部周りの緩みをとる締め付け手段が後部に設けられているものである。
これによると、締め付け手段で防護用頭巾を締め付けて頭部周りの緩みをとることができ、防護用頭巾を頭部にぴったりと密着させることができる。
【００１１】
本発明のより好ましい実施形態は、前部に目視用の窓が形成され、
締め付け手段は、上記目視用の窓よりも上位でかつ収納部よりも下位に設けられているとともに、外覆い部材の下端部と内覆い部材の下端部とが重複する重複部分よりも下位に設けられているものである。
【００１２】
本発明のより好ましい実施形態は、前部に顔面露出用の開口部が形成され、
締め付け手段は、上記顔面露出用の開口部よりも上位でかつ収納部よりも下位に設けられているとともに、外覆い部材の下端部と内覆い部材の下端部とが重複する重複部分よりも下位に設けられているものである。
【発明の効果】
【００１３】
以上のように、本発明によれば、ヘルメットは外覆い部材と内覆い部材との間に収納されるため、ヘルメットの位置がずれるのを防止することができる。
また、開閉手段で外覆い部材を開くことによって、ヘルメットを外覆い部材と内覆い部材との間から出し入れすることができる。したがって、クリーンルーム内において、作業者が防護用頭巾を頭部に装着したままで、外側からヘルメットを容易に出し入れすることが可能であり、これにより、クリーンルーム内においてヘルメットが不要である場合、ヘルメットを防護用頭巾から容易に取り外すことができる。
【図面の簡単な説明】
【００１４】
【図１】本発明の実施の形態におけるフードキャップの正面図である。
【図２】同、フードキャップの背面図である。
【図３】同、フードキャップの側面の断面図である。
【図４】同、フードキャップを被った際の斜視図であり、ヘルメットを装着していない状態を示す。
【図５】同、フードキャップを被った際の斜視図であり、開口部を開いた状態を示す。
【図６】同、フードキャップを被った際の斜視図であり、ヘルメットを開口部から収納部に入れ込んだ状態を示す。
【図７】同、フードキャップを被った際の斜視図であり、開口部を閉じてヘルメットを内蔵した状態を示す。
【図８】本発明の他の実施の形態におけるフードキャップを被った際の斜視図である。
【発明を実施するための形態】
【００１５】
以下、本発明における実施の形態を図面に基づいて説明する。
図１〜図４に示すように、１はクリーンルームで用いられるフードキャップ（防護用頭巾の一例）であり、作業者が頭から被って、頭部および顔面を覆うものである。上記フードキャップ１は、本体部２と、本体部２の下端に設けられたスカート部１９とで構成されている。尚、上記フードキャップ１はヘッドカバーやヘッドキャップ等とも呼ばれる。
【００１６】
上記フードキャップ１の本体部２は、その上部２ａが作業者の頭頂部を覆い、前部２ｂが作業者の顔面を覆い、後部２ｃが作業者の後頭部を覆い、両側部２ｄが作業者の側頭部を覆うように、筒袋状に形成されている。
【００１７】
上記フードキャップ１の前部２ｂには、作業者の両目を通して目視をするための窓３が形成されている。
また、図３，図５，図６に示すように、フードキャップ１の上部２ａは、布状の外覆い部材４と網（メッシュ）状の内覆い部材５とで、内外二重構造に構成されている。上記外覆い部材４と内覆い部材５との間には収納部６が形成され、この収納部６に、作業者の頭部を保護するヘルメット７が収納される。
【００１８】
また、上記外覆い部材４には、ヘルメット７を出し入れ可能な開口部９と、この開口部９を開閉するファスナー１０（開閉手段の一例）とが設けられている。尚、上記開口部９は前後方向に沿って形成されている。また、上記ヘルメット７は椀状に形成されており、庇等の外部へ突出するものは設けられていない。
【００１９】
また、図２，図３に示すように、フードキャップ１の後部２ｃには、頭部横周りの緩みをとる締め付け手段１２が設けられている。上記締め付け手段１２は、フードキャップ１の後部２ｃに設けられた締付帯１３と、締付帯１３の遊端部に設けられた一方の面ファスナー１４と、フードキャップ１の後部２ｃに設けられた他方の面ファスナー１５とで構成されている。尚、上記他方の面ファスナー１５は締付帯１３の基端部の左右一側方に位置しており、両方の面ファスナー１４，１５同士が離着自在になっている。
【００２０】
また、フードキャップ１の本体部２の下部には、この部分を絞るための紐１６が通してあり、この紐１６の両端部１６ａがフードキャップ１の後部２ｃから外側に垂らしてある。また、上記スカート部１９は、作業者の肩を覆うものであり、下部が広がっている。
【００２１】
以下、上記構成における作用を説明する。
クリーンルームで作業する場合、作業者は、先ず、口をマスクで、頭部をヘアーネットで覆い、その後、図４に示すように、フードキャップ１を頭から被って、頭部および顔面を覆う。さらに、紐１６の両端部１６ａを引っ張って結ぶことにより、フードキャップ１の本体部２の下部を絞る。これにより、クリーンルーム内に作業者の毛髪等が落下するのを防止し得る。
【００２２】
また、クリーンルームで作業上、頭部を保護する必要がある場合、作業者は、図５に示すようにファスナー１０を開け、図６に示すようにヘルメット７を開口部９からフードキャップ１の収納部６へ入れ込む。その後、図７に示すように、作業者がファスナー１０を閉じることによって、開口部９が閉じられ、ヘルメット７が収納部６に収納されるため、作業者の頭部がヘルメット７で保護される。
【００２３】
上記のように作業者が頭部にフードキャップ１を被って、ヘルメット７を収納部６に収納した際、上記ヘルメット７は外覆い部材４と内覆い部材５との間に挟まれて固定されるため、作業中にヘルメット７の位置がずれるのを防止することができる。
【００２４】
また、ヘルメット７が不要である場合、ファスナー１０を開いて、ヘルメット７を収納部６からフードキャップ１の外部へ取り外せばよい。このように、クリーンルーム内において、フードキャップ１を頭部に装着したままで、フードキャップ１に対して容易にヘルメット７を着脱することができるため、非常に利便性が良い。
【００２５】
また、図２に示すように、締付帯１３を他方の面ファスナー１５の方向Ａへ引っ張った状態で、一方の面ファスナー１４を他方の面ファスナー１５へ密着させることにより、フードキャップ１の頭部横周りの緩みを取ることができるため、フードキャップ１を作業者の頭部にぴったりと密着させることができる。
【００２６】
上記実施の形態では、開閉手段の一例としてファスナー１０を用いたが、面ファスナーやボタンなどを用いて開口部９を開閉してもよい。
上記実施の形態では、開口部９を前後方向に形成しているが左右方向に形成してもよい。
【００２７】
上記実施の形態では、作業者がフードキャップ１を装着した後、ヘルメット７をフードキャップ１に取り付けているが、先にヘルメット７をフードキャップ１に取り付けておき、この状態で、作業者がフードキャップ１を装着してもよい。
【００２８】
上記実施の形態では、作業者は、フードキャップ１を被る前に、クリーン用のマスクを装着しているが、マスクを不要にしてもよい。また、ヘアーネットを装着した後、フードキャップ１を被り、その後、マスクを装着してもよい。
【００２９】
上記実施の形態では、通常、フードキャップ１を白色にしているが、フードキャップ１の上部２ａを白色以外に着色してもよい。これにより、従来のようなヘルメットを内蔵しないフードキャップと区別することができる。したがって、作業者がヘルメット内蔵型のフードキャップ１を使用していることを一目して判別することができる。
【００３０】
上記実施の形態では、図７に示すようにフードキャップ１で頭部と顔面（鼻，口）とを覆っているが、他の実施の形態として、図８に示すようにフードキャップ１の前部２ｂに開口部２１を形成し、この開口部２１から顔面（目，鼻，口）を露出させてもよい。
【符号の説明】
【００３１】
１    フードキャップ（防護用頭巾）
２    本体部
２ａ    上部
２ｂ    前部
２ｃ    後部
３    目視用の窓
４    外覆い部材
５    内覆い部材
６    収納部
７    ヘルメット
９    開口部
１０    ファスナー（開閉手段）
１２    締め付け手段
１６    紐
１９    スカート部
２１    顔面露出用の開口部
【図１】
0005553092.tif 000002
【図２】
0005553092.tif 000003
【図３】
0005553092.tif 000004
【図４】
0005553092.tif 000005
【図５】
0005553092.tif 000006
【図６】
0005553092.tif 000007
【図７】
0005553092.tif 000008
【図８】
0005553092.tif 000009